(57)【要約】      （修正有）【課題】ベッドなどへの光照射位置及び／又は光照射面積を自ら自由に変更することができる間接照明システムを提供する。【解決手段】ＬＥＤ照明装置１１は、ＬＥＤ光源１３を備えたＬＥＤ基板１４、該基板の上側に配置された第一の凸レンズ１６、該基板の背面に備えられた、隅に透孔を持つ放熱板１５、放熱板１５の透孔に挿入されたＬＥＤ基板案内用支柱１７、その支柱の頂部に固定された枠体１８、枠体に配置された第二の凸レンズ１９、ＬＥＤ基板１４と放熱板１５とを支柱１７に沿って一体的に上下移動させる昇降駆動機構２０、そして枠体１８をＬＥＤ基板１４、放熱板１５及びＬＥＤ基板案内用支柱１７と共に上下方向の一体的な揺動が可能なように支持する揺動駆動機構を含むＬＥＤ照明器具を、第二の凸レンズ１９の側の表面に光透過性窓部３２を備えた箱形容器２２の内部に収容され、壁体１２に固定されている。【選択図】図２
2020017402.tif 000002
【特許請求の範囲】
【請求項１】
表面にＬＥＤ光源を備えたＬＥＤ基板、ＬＥＤ基板の上側にＬＥＤ光源を覆うように配置された第一の凸レンズ、ＬＥＤ基板の背面に備えられた、隅に透孔を持つ放熱板、放熱板の平面に対して垂直な方向へのＬＥＤ基板と放熱板の移動が可能なように放熱板の透孔に挿入配置されたＬＥＤ基板案内用支柱、ＬＥＤ基板案内用支柱の頂部もしくはその近傍に固定された枠体、枠体に支持され、第一の凸レンズの焦点を延長した位置に配置された第二の凸レンズ、ＬＥＤ基板と放熱板とを支柱に沿って一体的に上下移動させる昇降駆動機構、そして枠体を、ＬＥＤ基板、放熱板そして支柱と共に上下方向の一体的な揺動が可能なように支持する揺動駆動機構を含むＬＥＤ照明器具を、第二の凸レンズが位置する側の表面に光透過性窓部を備えた箱形容器の内部に収容固定して構成したＬＥＤ照明装置が、少なくとも壁体と天井そして床面を備えた区画の壁体の表面もしくは該区画内に立設状態で配置されたボードの表面に固定されていることを特徴とする、床面もしくは床面に置かれたベッドへの光照射位置と光照射面積の変更が可能な間接照明システム。
【請求項２】
上記照明装置が、上記区画内に配置された備品に立設されたボードの表面に取り付けられている請求項１に記載の間接照明システム。
【請求項３】
上記照明装置が、上記区画内に配置されたベッドに立設されたボードの表面に取り付けられている請求項１に記載の間接照明システム。
【請求項４】
上記照明装置が壁体もしくはボードに埋め込まれている請求項１乃至３の内のいずれかに記載の間接照明システム。
【請求項５】
少なくとも壁体と天井そして床面を備えた区画が、病室もしくは病室内の分割された区画、あるいはホテルの居室である請求項１乃至４の内のいずれかの項に記載の間接照明システム。
【請求項６】
表面にＬＥＤ光源を備えたＬＥＤ基板、ＬＥＤ基板の上側にＬＥＤ光源を覆うように配置された第一の凸レンズ、ＬＥＤ基板の背面に備えられた、隅に透孔を持つ放熱板、放熱板の平面に対して垂直な方向へのＬＥＤ基板と放熱板の移動が可能なように放熱板の透孔に挿入配置されたＬＥＤ基板案内用支柱、ＬＥＤ基板案内用支柱の頂部もしくはその近傍に固定された枠体、枠体に支持され、第一の凸レンズの焦点を延長した位置に配置された第二の凸レンズ、ＬＥＤ基板と放熱板とを支柱に沿って一体的に上下移動させる昇降駆動機構、そして枠体を、ＬＥＤ基板、放熱板そして支柱と共に上下方向の一体的な揺動が可能なように支持する揺動駆動機構を含むＬＥＤ照明器具を、第二の凸レンズが位置する側の表面に光透過性窓部を備えた箱形容器の内部に収容固定してなるＬＥＤ照明装置。
【発明の詳細な説明】
【技術分野】
【０００１】
本発明は、間接照明システム、及び間接照明システムを構成する照明装置として有利に用いられるＬＥＤ照明装置に関する。
【背景技術】
【０００２】
病院の病室、ホテルの客室、家屋の寝室などのような区画された空間内において、患者、宿泊客、居住者の落ち着いた休息環境あるいは睡眠環境を確保するために間接照明システムを設置することが多い。このような区画された空間での間接照明システムは基本的に、当該区画空間の壁体あるいは当該区画空間内に置かれた家具や備品に照明装置を設置し、その照明装置からの光を天井面に一旦照射し、次いでその天井面からの反射光を、床面あるいは当該区画内に置かれたベッドなどの家具に照射する照明システムである。
【０００３】
特許文献１には、病室などで使用する照明器具であって、個々の患者に適合した快適な照明を提供すると共に、他の患者も安静に過ごすことのできるようにした照明器具の開示がある。この照明器具は、室内灯として使用する上側照明部位と読書灯として使用する下側照明部位とが一体として壁面に取り付けられる照明器具であって、器具内に装着されたプリズムにより、効率の良い照明光の配分を実現することができると説明されていて、この上側照明部位は、照明器具からの照明光を一旦天井面に反射させることにより、目的の間接照明の実現を可能にしている。
【０００４】
特許文献２には、診察室や病室として使用される半開放個室型の間仕切り装置の開示があり、その間仕切りのサイド壁に、水平に延びる灯具（蛍光灯）と灯具の下部に備えられたシェードとからなる間接照明装置が示されている。この間接照明装置では、灯具から発せられた照明光が、灯具の上方に設けられた庇状部材による反射を介して下方に照射されるようにされている。
【先行技術文献】
【特許文献】
【０００５】
【特許文献１】実用新案登録第３０７５２９５号公報
【特許文献２】特開２００３−３３６３３９号公報
【発明の概要】
【発明が解決しようとする課題】
【０００６】
特許文献１及び特許文献２に記載されているように、診察室や病室などの区画された空間で使用する間接照明システムは既に知られている。しかしながら、それらの特許文献に記載されている間接照明システムはいずれも、壁体に固定状態で取り付けられていて、間接照明により照明される位置や範囲の変更は想定されていない。
【０００７】
一方、病室の患者に限らず、ホテルの宿泊客や家屋の居住者などが、休息状態にある場合、読書をしたい場合、食事をしたい場合、あるいは睡眠をとろうとする場合などにおいて、当該患者、宿泊客、そして居住者などは各人の好みや身体の状態に応じて、間接照明を利用して、照明光が照射される光照射位置及び／又は光照射面積などを自らの意向により自由に変更したいと望む場合も多い。しかしながら、そのような病室の患者等の希望に添う自由度を持つ間接照明システムは、本発明の発明者の知る限りでは現在までに開発されていない。
【０００８】
従って、本発明の課題は、病室の患者、ホテルの宿泊客、家屋の居住者などが、休息状態にある場合、読書をしたい場合、食事をしたい場合、あるいは睡眠に入ろうとする場合などにおいて、各人の好みや身体の状態に応じて、間接照明により光照射される光照射位置及び／又は光照射面積を自らの意思で自由に変更することを希望する際に、その希望に容易に対応できる間接照明システム、そしてその間接照明システムで有利に使用することのできる照明装置を提供することにある。
【課題を解決するための手段】
【０００９】
本発明の発明者は、上述の課題の解決を目的として、新規な間接照明システムを開発するための研究を行った結果、照明光源としてＬＥＤ光源を利用する下記の新規な間接照明システムの開発に成功した。
【００１０】
すなわち、本発明は、表面にＬＥＤ光源を備えたＬＥＤ基板、ＬＥＤ基板の上側にＬＥＤ光源を覆うように配置された第一の凸レンズ、ＬＥＤ基板の背面に備えられた、隅に透孔を持つ放熱板、放熱板の平面に対して垂直な方向へのＬＥＤ基板と放熱板の移動が可能なように放熱板の透孔に挿入配置されたＬＥＤ基板案内用支柱、ＬＥＤ基板案内用支柱の頂部もしくはその近傍に固定された枠体、枠体に支持され、第一の凸レンズの焦点を延長した位置に配置された第二の凸レンズ、ＬＥＤ基板と放熱板とを支柱に沿って一体的に上下移動させる昇降駆動機構、そして枠体を、ＬＥＤ基板、放熱板そして支柱と共に上下方向の一体的な揺動が可能なように支持する揺動駆動機構を含むＬＥＤ照明器具を、第二の凸レンズが位置する側の表面に光透過性窓部を備えた箱形容器の内部に収容固定して構成したＬＥＤ照明装置が、少なくとも壁体と天井そして床面を備えた区画の壁体の表面もしくは該区画内に立設状態で配置されたボードの表面に固定されていることを特徴とする、床面もしくは床面に置かれたベッドへの光照射位置及び／又は光照射面積の変更が可能な間接照明システムを提供する。
【００１１】
なお、本明細書および特許請求の範囲の記載に見られる「光照射位置」及び「光照射面積」とは、ＬＥＤ照明装置から発せられて、天井面で反射した光（反射光）により直接照射される領域の位置及び面積を意味し、ＬＥＤ照明装置から発せられた光で直接照射される部位の位置や面積、そしてその光が天井面以外の壁体や備品等の表面で反射されて照射される部位の位置や面積は含まない。
【００１２】
本発明はまた、表面にＬＥＤ光源を備えたＬＥＤ基板、ＬＥＤ基板の上側にＬＥＤ光源を覆うように配置された第一の凸レンズ、ＬＥＤ基板の背面に備えられた、隅に透孔を持つ放熱板、放熱板の平面に対して垂直な方向へのＬＥＤ基板と放熱板の移動が可能なように放熱板の透孔に挿入配置されたＬＥＤ基板案内用支柱、ＬＥＤ基板案内用支柱の頂部もしくはその近傍に固定された枠体、枠体に支持され、第一の凸レンズの焦点を延長した位置に配置された第二の凸レンズ、ＬＥＤ基板と放熱板とを支柱に沿って一体的に上下移動させる昇降駆動機構、そして枠体を、ＬＥＤ基板、放熱板そして支柱と共に上下方向の一体的な揺動が可能なように支持する揺動駆動機構を含むＬＥＤ照明器具を、第二の凸レンズが位置する側の表面に光透過性窓部を備えた箱形容器の内部に収容固定してなるＬＥＤ照明装置も提供する。
【００１３】
本発明の間接照明システムの好ましい態様は、次の通りである。
（１）照明装置が上記区画内の壁体に取り付けられている。
（２）照明装置が、上記区画内に配置された備品に立設されたボードの表面に取り付けられている。
（３）照明装置が、ベッドに立設されたボードの表面に取り付けられている。
（４）照明装置が壁体もしくはボードに埋め込まれている。
（５）少なくとも壁体と天井そして床面を備えた区画が、病室もしくは病室内の分割された区画あるいはホテルの居室である。
【発明の効果】
【００１４】
本発明の間接照明システムを利用することにより、病室の患者、ホテルの宿泊客、家屋の居住者などが、読書や食事をする際、休息状態にある際、あるいは睡眠に入ろうとする際などにおいて、各人の好みや身体の状態に応じて、間接照明により光照射される光照射位置及び／又は光照射面積を自ら自由に変更したいと希望する場合に、その希望にたいして簡単な操作で容易に対応することができる。
【図面の簡単な説明】
【００１５】
【図１】本発明に従うＬＥＤ照明装置が設置された壁体を示す正面図であり、本発明に従う間接照明システムの外観図でもある。
【図２】図１に示した壁体に設置されたＬＥＤ照明装置の内部構造を示す側面断面図である。
【図３】図１に示したＬＥＤ照明装置の正面図である。
【図４】図３に示したＬＥＤ照明装置の側面図である。
【図５】図３に示したＬＥＤ照明装置の内部構造を示す斜視図（ケースを除いた状態での斜視図）である。
【図６】図５に示したＬＥＤ照明装置を左上側から見た斜視図である。
【図７】図５に示したＬＥＤ照明装置を右側から見た側面図である。
【図８】図５に示したＬＥＤ照明装置を右上側から見た斜視図である。
【発明を実施するための形態】
【００１６】
本発明の間接照明システムとＬＥＤ照明装置を、添付図面の図１乃至図８を参照して説明する。
【００１７】
図１は、本発明に従うＬＥＤ照明装置１１が設置された壁体１２を示す正面図であり、本発明に従う間接照明システムの外観図でもある。また、図２と図３は、それぞれ、図１に示したＬＥＤ照明装置１１の側面断面図と正面図を示す。そして、図４と図５は、それぞれ、図３に示したＬＥＤ照明装置１１の側面図と内部構造を示す斜視図（ケースを除いた状態の斜視図）を示す。図６は、図５に示したＬＥＤ照明装置を左上側から見た斜視図であって、図７は、図５に示したＬＥＤ照明装置１１を右側から見た側面図であり、図８は、図５に示したＬＥＤ照明装置１１を右上側から見た斜視図である。
【００１８】
本発明に従う間接照明システムに用いることのできるＬＥＤ照明装置１１は、ＬＥＤ光源１３を備えたＬＥＤ基板１４、ＬＥＤ基板１４の背面に備えられた、隅部に一個もしくは複数個の透孔を持つ放熱板１５、ＬＥＤ光源１３の上側にＬＥＤ光源１３を覆うように配置された第一の凸レンズ１６、放熱板１５に垂直な方向に移動可能なように放熱板の隅部の透孔に挿入されたＬＥＤ基板案内用支柱１７、ＬＥＤ基板案内用支柱１７の頂部もしくはその近傍に配置された枠体１８、枠体１８に支持され、第一の凸レンズ１６の焦点を延長した位置に備えられた第二の凸レンズ１９、ＬＥＤ光源１３とＬＥＤ基板１４と放熱板１５とをＬＥＤ基板案内用支柱１７に沿って一体的に上下方向に移動させることのできる昇降駆動機構２０、そして枠体１８を、ＬＥＤ基板１４、放熱板１５そしてＬＥＤ基板案内用支柱１７と共に上下方向の一体的な揺動が可能なように支持する揺動駆動機構２１を含む。ＬＥＤ光源１３は、電気エネルギー供給源（図示せず）と電気的に接続させて使用する。
【００１９】
ＬＥＤ光源１３としては、特に限定はなく、通常の照明器具の光源として利用される各種の発光ダイオード（ＬＥＤ）を用いるこができる。発光ダイオードは通常、発光ダイオードチップが搭載されたステムと、このステムのキャップとから構成されるが、そのような発光ダイオードの構成は既に多数知られているため、詳しい説明は省略する。また、ＬＥＤ光源には、発光ダイオードを駆動する電気エネルギー供給源に電気回路を介して口金にて電気的に接続されている。発光ダイオード駆動用の電気回路の構成についても周知であるので、その詳しい説明は省略する。
【００２０】
ＬＥＤ光源１３はＬＥＤ基板１４に固定され、ＬＥＤ基板１４の背面には放熱板１５が備えられる。そして、ＬＥＤ光源１３の上側には、ＬＥＤ光源１３から発せられる光を集光し、集束させて前方に照射するための凸レンズ１６（第一の凸レンズ）がＬＥＤ光源１３を覆うように配置される。ＬＥＤ光源から発生する光を利用する照明器具として、これらの構成は一般的であり、これ以上詳細な説明を必要としない。
【００２１】
本発明のＬＥＤ照明装置１１には、ＬＥＤ光源１３、ＬＥＤ基板１４、放熱板１５、そして第一の凸レンズ１６を一体として、ＬＥＤ基板案内用支柱１７に添って上下方向に移動させる昇降駆動機構２０が備えられている。この昇降駆動機構２０は、第二の凸レンズ１９に対して、ＬＥＤ光源１３、ＬＥＤ基板１４、放熱板１５、そして第一の凸レンズ１６を一体物として、接近させたり、離れさせたりするように移動させることができる。ＬＥＤ基板案内用支柱１７は、第二の凸レンズ１９を支持する枠体１８に固定されており、この枠体１８は、ＬＥＤ照明具の上下方向の揺動を可能にする揺動駆動機構２１を介して円筒状の箱形容器２２に収容設置されている。
【００２２】
昇降駆動機構２０は、例えば、図６に示されている様に、枠体１８の下側に垂直に備えられた雄ねじ２３そして断熱板に固定されている雌ねじ部を備えた箱体２４から構成されている。この昇降駆動機構２０は、枠体１８を介して箱形容器２２への取り付け具２５に、枠体１８の揺動が可能なように支持される。そして、取り付け具２５は、箱型容器２２の内壁に固定される。
【００２３】
揺動駆動機構２１は、箱形容器２２への取り付け具２５に付設されたウオーム２６と歯車２７とから構成される。そして、ＬＥＤ照明具に対して取り付け具２５と反対側に備えられた別の取り付け具２８に形成された円弧状の開口部２９と枠体１８に取り付けられた突起３０との係合によりＬＥＤ照明装置の揺動が可能とされている。
【００２４】
これまでに説明したＬＥＤ照明装置は、円筒状の箱形容器２２に収容固定されるが、箱形容器２２には、ＬＥＤ照明装置から発せられる光を外部に照射するために、第二の凸レンズ１９が位置する側の表面に光透過性窓部３２が形成される。
【００２５】
なお、本発明のＬＥＤ照明装置は、前述のように、少なくとも壁体と天井そして床面を備えた区画の壁体の表面もしくは該区画内に立設状態で配置されたボードの表面に固定されて使用されるが、その固定に際しては、図３と図４に示されている様な板バネ状の照明装置固定補助具３１を用いることにより、照明装置用の孔部を形成した壁体やボードにより確実に収容固定することができる。
【符号の説明】
【００２６】
１１  ＬＥＤ照明装置
１２  壁体
１３  ＬＥＤ光源
１４  ＬＥＤ基板
１５  放熱板
１６  第一の凸レンズ
１７  ＬＥＤ基板案内用支柱
１８  枠体
１９  第二の凸レンズ
２０  昇降駆動機構
２１  揺動駆動機構
２２  箱形容器
２３  雄ねじ
２４  雌ねじ部を備えた箱体
２５  箱形容器への取り付け具
２６  ウオーム
２７  歯車
２８  別の取り付け具
２９  円弧状の開口部
３０  突起
３１  照明装置固定補助具
３２  光透過性窓部
【図１】
2020017402.tif 000003
【図２】
2020017402.tif 000004
【図３】
2020017402.tif 000005
【図４】
2020017402.tif 000006
【図５】
2020017402.tif 000007
【図６】
2020017402.tif 000008
【図７】
2020017402.tif 000009
【図８】
2020017402.tif 000010